(57)【要約】【課題】  受け金具から抜けた状態にある楔が不用意に前記受け金具に差し込まれない構造の仮設用楔式結合金具を提供する。【解決手段】  手摺りや筋交い等の仮設要素を予め支柱に設けた差込口を有する受け金具に連結するための結合金具であって、上面部に貫通孔を設けた本体と、前記上面部の先端を下向きに屈曲して差込口に挿入可能な挿入片と、該挿入片を差込口に挿入した状態で貫通孔を介して差込口に緊挿可能な楔とからなり、さらに挿入片に差込口の側部に上方から係合可能で、且つ、当該係合時に側部によって貫通孔を閉塞可能な下向き開口の凹溝を設けた。挿入片は中心線上に凹溝を設けた二股状に、あるいは二箇所に凹溝を設けて三ツ股状に分割することもある。さらに、凹溝の左右に形成される二股片のうち何れか一方片を他方片よりも短く設定したり、三ツ股片のうち二つの両側片を中心片よりも短く設定することもある。【選択図】          図２
2006063536.tif 000002
【特許請求の範囲】
【請求項１】
手摺りや筋交い等の仮設要素を予め支柱に設けた差込口を有する受け金具に連結するための結合金具であって、上面部に貫通孔を設けた本体と、該本体の前記上面部の先端を下向きに屈曲して前記差込口に挿入可能な挿入片と、該挿入片を差込口に挿入した状態で前記貫通孔を介して差込口に緊挿可能な楔とからなり、さらに挿入片に前記差込口の側部に上方から係合可能で、且つ、当該係合時に前記側部によって前記貫通孔を閉塞可能な下向き開口の凹溝を設けたことを特徴とする仮設用楔式結合金具。
【請求項２】
挿入片は中心線上に凹溝を設けた二股状に分割してなる請求項１記載の仮設用楔式結合金具。
【請求項３】
挿入片は二箇所に凹溝を設けて三ツ股状に分割してなる請求項１記載の仮設用楔式結合金具。
【請求項４】
凹溝の左右に形成される二股片のうち何れか一方片を他方片よりも短く構成した請求項２記載の仮設用楔式結合金具。
【請求項５】
凹溝により形成される三ツ股片のうち二つの両側片を中心片よりも短く構成した請求項３記載の仮設用楔式結合金具。
【発明の詳細な説明】
【技術分野】
【０００１】
この発明は、工事現場において足場や支保工を構築するに際し、支柱に予め設けられた受け金具に手摺りや筋交い等の仮設要素を固定するための結合金具に係り、より詳しくは仮設要素の端部に設けられ、前記受け金具に下向きの挿入爪と楔の双方によって固定可能な結合金具であって、特に足場等の解体時に一度抜いた楔が不用意に再挿入されない構造に関するものである。
【背景技術】
【０００２】
本出願人は、足場等を構築する際、手摺りや筋交い等の仮設要素を支柱に設けた差込口を有する受け金具に連結する結合金具として、前記差込口に掛止可能な下向きの挿入爪と、該挿入爪が差込口に掛止された状態で差込口に直立状態で差込可能な楔とからなる仮設用楔式結合金具を既に開示している（特許文献１、２参照）。
【０００３】
【特許文献１】特開２００３−４１７６６号公報
【特許文献２】特開２００３−２６８９７０号公報
【発明の開示】
【発明が解決しようとする課題】
【０００４】
上記従来の結合金具は、手摺りや筋交い等の端部に設けられ、その固定作業は、先ず挿入爪を支柱の受け金具に掛止することによって仮設要素を仮固定し、その後、順に楔を直立状態にして受け金具に差し込む又は打ち込むことによって本固定を行うものであり、解体作業は当該固定作業と逆の順序で行われる。つまり、仮設要素を解体する（支柱から取り外す）際は、先ず楔を支柱の受け金具から抜き取り、その後、挿入爪の掛止状態を解くのであるが、当該作業中に一度抜いた楔が不用意に再度受け金具に差し込まれる現象が生じる場合がある。即ち、水平材１本からなる手摺りの解体例を挙げれば、該手摺りには両端２箇所に結合金具が設けられる。そして、楔の抜き取りは各結合金具順に行われ、先に楔を抜き取った側の結合金具は挿入爪を受け金具に掛止したまま、他方の結合金具につき楔の抜き取り作業を行う。楔を抜いた後も挿入爪を差し込んだままとするのは、手摺りがまだ固定状態にある結合金具を支点として不用意に回動して、下階の作業員等に接触する危険性を防止するためである。このとき、上記従来技術によれば、楔は結合金具本体から完全に離脱せず、受け金具から抜き取られた後に水平に寝かされた状態となるが、先に抜き取られ水平状態を維持する楔が、他方側の結合金具の楔抜き取り作業時の振動等によって、再度起立し、受け金具に差し込まれることがある。これでは、仮設要素の解体作業が進まず、能率が悪いといった課題があった。
【０００５】
本発明は上述した課題を解決するためになされたもので、その目的とするところは、受け金具から抜けた状態にある楔が不用意に前記受け金具に差し込まれない構造の仮設用楔式結合金具を提供することである。
【課題を解決するための手段】
【０００６】
上記目的を達成するために本発明では、足場等を構築する際、手摺りや筋交い等の仮設要素を予め支柱に設けた差込口を有する受け金具に連結するための結合金具であって、上面部に貫通孔を設けた本体と、該本体の前記上面部の先端を下向きに屈曲して前記差込口に挿入可能な挿入片と、該挿入片を差込口に挿入した状態で前記貫通孔を介して差込口に緊挿可能な楔とからなり、さらに挿入片に前記差込口の側部に上方から係合可能で、且つ、当該係合時に前記側部によって前記貫通孔を閉塞可能な下向き開口の凹溝を設けるという手段を用いた。当該手段によれば、従来と同じ手順によって支柱に対する仮設要素の組み付け作業を行える。一方、解体時には受け金具から楔を抜き取った後、本体を左右何れかにスライドさせ、挿入片に設けた凹溝を受け金具の側部に上方から係合することで、金具本体を受け金具に仮固定しつつ、当該係合によって貫通孔が閉塞されるから楔の不用意な差込みが回避される。なお、ここでいう貫通孔の閉塞とは、貫通孔と差込口の連通が絶たれ、楔が前記側部との当接によって差込口への挿入が阻止されることを言う。また、本金具の結合対象である受け金具については、断面角形のポケット型受け金具を想定しているが、適用可能な受け金具の構成はこれに限定されず、例えば支柱周面にフランジを設け、該フランジに差込口を形成した受け金具であってもよい。本発明を適用する上で受け金具に必要なことは、挿入片と楔が同時に挿入可能な差込口を有し、且つ、凹溝が上方から係合可能な差込口の側部（前記ポケット型受け金具においては左右の側板、前記フランジ型受け金具にあっては隣合う差込口の間の中実部）を有することである。
【０００７】
なお、挿入片の具体的な構成は、その中心線上に凹溝を設けて二股状としたり、中心線の左右二箇所に凹溝を設けて三ツ股状とすることがあげられる。何れの構成に係る挿入片であっても、凹溝による仮固定状態において、楔の不用意な差込みを確実に防止することができる。
【０００８】
そして、本発明では二股状の挿入片にあっては凹溝の両側二股片の何れか一方片を他方片よりも短く構成し、三ツ股状の挿入片にあっては凹溝により形成される三ツ股片のうち二つの両側片を中心片よりも短く構成するという手段を選択的に用いる。つまり、本発明によれば受け金具の側部上面に凹溝を係合する際、金具本体を若干浮かせて該本体を左右何れかにズラして前記係合を行う。その結果、凹溝によって分割された挿入片の一部片は受け金具の差込口内に挿入され、他部片は差込口の外側に位置することになるが、上記手段によれば前記外側に位置することとなる他部片（前記他方片又は両側片）を一部片（前記一方片又は中央片）よりも短く設定されるため、本体の前記浮き上がらせ量を小さくでき、且つ、当該浮き上がらせた状態で本体を左右何れかにスライドさせれば、相対的に長く設定される前記一方片又は中央片は依然として差込口に挿入されたまま凹溝による仮固定作業を行うことができる。
【発明の効果】
【０００９】
以上説明したように、本発明では、挿入片に設けた凹溝による仮固定時に楔が差込口に差込不能となるので、例えば解体時に受け金具から抜き取った楔が再度不用意に差込口に挿入されるという不都合がなく、解体作業等を能率的に進めることが可能となる。また、挿入片の中心線上に凹溝を設けて二股状としたり、左右二箇所に凹溝を設けて三ツ股状とすることによって、楔の不用意な差込みをより確実に防止することができる。さらに、二股状の挿入片にあっては凹溝の両側二股片の何れか一方片を他方片よりも短く構成し、三ツ股状の挿入片にあっては凹溝により形成される三ツ股片のうち二つの両側片を中心片よりも短く構成したので、凹溝による仮固定作業をより安全に、且つ、能率的に行うことができる。
【発明を実施するための最良の形態】
【００１０】
以下、本発明の好ましい実施の形態を添付した図面に従って説明する。図１は、本発明に係る結合金具１０を手摺り等の水平材２０に適用し、該水平材２０を支柱３０に結合したところを示したものである。支柱３０はその周面の４箇所（図示は３箇所）に９０度間隔で予め受け金具３１を突設してなる。該受け金具３１は前面板３２ａと左右の側部３２ｂが直角をなし、上下に貫通する角型の差込口３２を構成している。結合金具１０は、水平材２０の一端にボルトナット２１によって固定されている。なお、この実施形態では、水平材２０はボルトナット２１のボルト軸を回動軸として回動自在に構成されている。
【００１１】
次に、結合金具１０の詳細な構造を説明する。結合金具１０は、水平材２０を取付ける本体１１と差込口３２に緊挿される楔１２とを別体に設けてなる。本体１１は、金属板をコ字状に折曲し、その先端を下向きに屈曲して差込口３２に挿入可能な挿入片１３としている。つまり、本体１１の上面部１４は鈎状をなしている。また、本体１１の上面部１４には楔１２の貫通孔１５が形成されている。そして、挿入片１３と対向する背面部１６にはボルトナット２１の取付部１７が外向きに突設されている。なお、楔１２の先端にはリベット等からなる貫通孔１５からの抜止部１２ａが設けられている。
【００１２】
上記のような基本構造を備える仮設用楔式結合金具において、本発明の特徴を説明すると、図２に示したように、挿入片１３には中心線上に下向き開口の凹溝１３ａが形成され、二股状に構成されている。該凹溝１３ａは受け金具３１の側部３２ｂに係合可能である。そして、本実施形態では、凹溝１３ａの左右の二股片１３ｂ・１３ｃのうち一方片１３ｂを他方片１３ｃよりも長く設定している。言い換えれば、他方片１３ｃは一方片１３ｂよりも短く設定される。
【００１３】
図３は、上記実施形態に係る結合金具の凹溝１３ａによる受け金具３１への仮固定状態を示したものである。同図に示されるように本金具は、楔１２を差込口３２から抜き取った後、前記挿入片１３のうち短く設定された他方片１３ｃのみ差込口３２から抜けるように当該金具を浮き上がらせ、その状態で前記他方片１３ｃが受け金具３１の外側に位置するように本体をスライドして、凹溝１３ａを受け金具３１の側部３２ｂに係合すれば仮固定作業が完了する。このとき楔１２と差込口３２の中心軸はズレるため、仮に楔１２が直立したとしても差込口３２に挿入不能な状態となる。
【００１４】
図４は、本発明の他の実施形態を示したものである。当該他の実施形態に係る結合金具では、上記実施形態からの変更点のみを説明すれば、挿入片１３の中心線の左右二箇所に凹溝１３ａを形成し、三ツ股状の挿入片１３を構成している。また、凹溝１３ａによって分割されたうち中央片１３ｄを二つの両側片１３ｅよりも長く設定している。言い換えれば、両側片１３ｅを中央へ１３ｄよりも短く設定し、その差を本体をスライドさせて凹溝１３ａによる仮固定時に必要な浮き上がり量としている。そして、当該他の実施形態によれば、凹溝１３ａが左右二箇所に設けられるため、本体を左右何れにスライドさせても凹溝１３ａによる仮固定が可能となるといった利点がある。
【図面の簡単な説明】
【００１５】
【図１】一実施形態に係る結合金具と受け金具との関係を示した側面図
【図２】同、結合金具の正面図
【図３】同、仮固定時における結合金具と受け金具との関係を示した平面図
【図４】他の実施形態に係る結合金具の正面図
【符号の説明】
【００１６】
１０  結合金具
１１  本体
１２  楔
１２ａ  抜止部
１３  挿入片
１３ａ  凹溝
１３ｂ  一方片
１３ｃ  他方片
１３ｄ  中央片
１３ｅ  両側片
１４  上面部
２０  手摺り等の水平材
３０  支柱
３１  受け金具
３２  差込口
３２ａ  前面板
３２ｂ  側部
【図１】
2006063536.tif 000003
【図２】
2006063536.tif 000004
【図３】
2006063536.tif 000005
【図４】
2006063536.tif 000006